(57)【要約】      （修正有）【課題】自動車などの運転において、追突事故など交通事故を未然に防ぐために、運転者への注意の喚起を促す自動車取付用プレートステッカーの提供。【解決手段】自動車の振動によって、プレートステッカー５表面に表示された特定部分、例えば手の平３とか、頭、あるいはゆりかごなどが動くようにしたプレートステッカー１。【選択図】図１
0003104334.tif 000002
【実用新案登録請求の範囲】
【請求項１】
上端に取付部が設けられ、表面には人物図、動物図、あるいは器物図などが描かれて成るプレートステッカー本体において、人物あるいは動物の手の平部が、プレートステッカー本体とは別部材に形成され、係止部材を介して、プレートステッカー本体に係止され、振動によって、人物あるいは動物の手の平部が動くことを特徴とするプレートステッカー。
【請求項２】
上端に取付部が設けられ、表面には人物図、動物図、あるいは器物図などが描かれて成るプレートステッカー本体において、器物のゆりかご体が、プレートステッカー本体とは別部材に形成され、係止部材を介して、プレートステッカー本体に係止され、振動によって、ゆりかご体が動くことを特徴とするプレートステッカー。
【考案の詳細な説明】
【技術分野】
【０００１】この考案は、乗物などに取り付けるプレートステッカーに関するものである。特には、自動車の室内後部窓ガラスに取り付けるためのプレートステッカーに関するものである。
〔背景技術〕【０００２】プレートステッカーには種々の物がある。例えば、方形状のものや円形あるいは台形、または三角形や円柱形など様々である。それらの形状のプレートステッカーの表面には風景図や動物図、あるいは人物図や器物図、更には植物図や魚介図などが描かれているものである。これらの図は単にプレートステッカーの表面に描かれているもので、それ自体としては平板的なものである。これらのプレートステッカーは、ひもや係止部材などによって吊り下げられて使用されたり、また吸盤体などを使用して側壁やガラス体に下げたりして使用されるものであった。
〔考案の開示〕
〔考案が解決しようとする課題〕【０００３】従前のプレートステッカーは、その表面に描かれる図は全くの平面板の絵であり、人物の特定の部分、例えば手とか足とかや、あるいは動物の頭とか尾とか、また器物図のゆりかごとか野球のバットあるいはサッカーのボールなどが動くということが全くなかったものである。そのためプレートステッカー表面に、人物図や動物図あるいは器物図などが描かれていても通り一遍にしか見ず、ほとんど看る者の注意を引くことのなかったものである。そのため、特に人の注意を引かなければならないものとして利用・使用することには不適当なものであった。そのためこの考案は、これらの問題を解決し、人の注意を引くようなプレートステッカーを提供しようとするものである。
〔課題を解決するための手段〕【０００４】この考案は、前記のような欠点や不便を解決するために、上端に取付部が設けられ、表面には人物図、動物図あるいは器物図などが描かれて成るプレートステッカー本体において、人物あるいは動物又は器物の特定部分、例えば人物あるいは動物の手の平部、または器物体のゆりかご体などがプレートステッカー本体とは別部材として形成され、係止部材を介してプレートステッカー本体に係止され、プレートステッカー本体が震動することによって、特定部分、例えば人物あるいは動物の手の平部、または器物体としてのゆりかご体が動くように構成されることによって、解決されるものである。このように、この考案は従前には見られなかったプレートステッカーを提供しようとするものである。
〔考案の効果〕【０００５】プレートステッカー本体表面に描かれる人物図、動物図あるいは器物図の特定部分、例えば人物あるいは動物の手の平部あるいは器物体のゆりかご体などが、プレートステッカー本体と別部材として形成され、係止部材を介してプレートステッカー本体に係止されることにより、プレートステッカー本体が揺れることにより、それら特定部分が動くことになる。特定部分が動くことによって人目を引き付けるとともに、人の注意を引くという効果があるとともに、プレートステッカー本体表面が単なる平板体でなく立体的部分を有するものとしても見られるという効果もある。また大量生産が可能であり、安価に供給できるという効果も有するものである。
〔考案を実施するための最良の形態〕【０００６】この考案を実施するための最良の形態は、プレートステッカー本体の上端部分に、このプレートステッカーを自動車などのガラス窓に接着させるための取付部材、例えば回転自在な吸盤体などを取付ける。次にプレートステッカー本体表面に描かれる図柄に合わせて、プレートステッカー本体の形状は形成されるから、その図柄の特定部分、例えば手の平部あるいはゆりかご体を、その図柄に合わせて別部材として形成し、その別部材を図柄に合わせて、係止部材、例えば割ピンなどによって、可動可能にプレートステッカー本体に係止する。このように構成することによって、特定部分が、震動によって容易に動くことになる。これがこの考案の最良の実施形態である。
〔実施例１〕【０００７】図１はこの考案の１つの実施例を示す正面図である。図１に基づいてこの考案の実施例を以下説明する。
（１）は、プレートステッカー本体である。このプレートステッカー本体（１）は様々な形状に形成することができる。例えば、この考案のように、方形状にまた円形状にも円柱状にも、更に角形状にも台形状にも形成することができるものである。そのように形成されたプレートステッカー本体（１）の表面には、人物図や動物図、また器物図や風景図、更に植物図や魚介図など様々な図柄や模様を描くことができるものである。この実施例では、人物図、それも赤ちゃんが両手を広げて笑っている図柄を描いているものである。
（２）は、プレートステッカー本体（１）の上端に設けられる取付部である。この取付部（２）は、プレートステッカー本体（１）に単に孔を設けてもよいし、紐などを通して吊り下げるようにすることもできる。この実施例では、プレートステッカー本体（１）に可動可能な吸盤体を設けて、それを取付部（２）として構成している。しかし、取付部（２）は必ずしもこの実施例の様に構成する必要はなく、他の方法でもよいものである。【０００８】（３）は、手の平部である。この手の平部（３）は、この実施例では赤ちゃんの手の平部（３）として構成されている。赤ちゃんの手の平部（３）は、赤ちゃんが両手を大きく開いて笑っている図柄として構成されているものである。この手の平部（３）は、プレートステッカー本体（１）と材質が同一のものであっても、他の部材として形成されるものである。この実施例では赤ちゃんの両手の平部（３）があるので、２つの部材が形成されるものである。しかし、図柄によっては１ヶの手の平部（３）として形成することも可能である。この手の平部（３）の上端側には小さな孔が設けられている。
（４）は、係止部材である。この係止部材（４）は、手の平部（３）の上端側に設けられる孔と、予じめプレートステッカー本体（１）に設けられている孔とに各々一ヶ所に介装して、プレートステッカー本体（１）の適宜の所に、手の平部（３）を装着するものである。この実施例では係止部材（４）に割ピンを使用しているものである。この割ピン（４）によって、手の平部（３）は、プレートステッカー本体（１）に係止されるものである。この割ピン（４）によって、手の平部（３）は、プレートステッカー本体（１）に吊り下げられた状態で係止され、プレートステッカー本体（１）が揺れることによって、手の平部（３）も揺れ動くことになるものである。係止部材（４）は必ずしも割ピンである必要はなく、他のピンでも、その他のものでもよいものである。
尚、（５）は、上記の様に構成されるプレートステッカーである。また赤ちゃんの手の平部（３）を、２つ同時に揺らすことも、各々単独でのみ揺らすこともできるものである。
〔実施例２〕【０００９】この考案の２つめの実施例は、図２に示す如く、実施例１の場合と図柄を異にするものである。図２は実施例２の正面図である。この実施例では赤ちゃんがゆりかごに入っている状態の図柄に構成され、そのゆりかごが、プレートステッカー本体（１）が震動によって動くことにより、揺れるように形成されているものである。
即ち、プレートステッカー本体（１）は、前記実施例１と同様であり、また使用する係止部材（４）も、実施例１と同様である。実施例１の手の平部（３）に代って、ゆりかご体（６）をプレートステッカー本体（１）とは、その材質が同一でも、他の部材として形成し、プレートステッカー本体（１）の適宜の箇所に設け、ゆりかご体（６）上端側に設けられている孔と、プレートステッカー本体（１）に予じめ設けられている孔に、係止部材（４）である割ピンを一ヶ所に介装して、ゆりかご体（６）を、プレートステッカー本体（１）に係止装着させたものである。これによって、プレートステッカー本体（１）が震動で揺れることにより、ゆりかご体（６）も揺れ動くこととなるものである。
〔産業上の利用可能性〕【００１０】この考案は、震動によって特定部分、例えば手の平部とかゆりかご体が動くので、自動車の室内窓ガラスなどに装着することにより、自動車の震動で特定部分が動き、人目を引くこととなり、注意を喚起することになる。これによって、交通事故などを防ぐことができ、産業上多いな利用可能性を有するものである。
【図面の簡単な説明】
【００１１】    〔図  １〕    人物図を描いたプレートステッカーの正面図
〔図  ２〕    ゆりかごを描いたプレートステッカーの正面図
【符号の説明】
【００１２】      （１）      プレートステッカー本体
（２）      取付部
（３）      手の平部
（４）      係止部材
（５）      プレートステッカー
（６）      ゆりかご体
【図１】
0003104334.tif 000003
【図２】
0003104334.tif 000004